(57)【特許請求の範囲】
【請求項１】
吸気口及び排気口が設けられた本体筐体と、
電動機と該電動機の回転軸に着脱自在に取付けられた羽根とを備え、前記本体筐体に埋め込まれて設置され、前記吸気口から前記本体筐体の中に流入して前記排気口から前記本体筐体の外へ流出する気流を形成する送風機と、
一面が開放された箱状であり、前記電動機の制御用のコンデンサを少なくとも一つ収納し、不燃材料製である第１のコンデンサボックス及び第２のコンデンサボックスとを備え、
前記第１のコンデンサボックスは、開放面の周囲に張り出す第１の平面部を備え、前記本体筐体に外付けされており、
前記第２のコンデンサボックスは、開放面の周囲に張り出す第２の平面部を備え、前記本体筐体に埋め込まれて設置されており、
前記第１のコンデンサボックスの開放面は、前記第２の平面部で塞がれており、かつ前記第２のコンデンサボックスの開放面は、前記第１の平面部で塞がれていることを特徴とする換気送風機。
【請求項２】
前記本体筐体に前記第１のコンデンサボックスが二つ外付けされており、
前記第１のコンデンサボックスの少なくとも一方は、前記第１の平面部の端部から立ち上がる第１の立面部を有し、
前記第１の立面部は、前記第２のコンデンサボックスの内部を二つの空間に仕切る隔壁をなしており、
前記第２のコンデンサボックスは、前記第１の立面部によって仕切られた二つの空間に、前記コンデンサを一つずつ収納していることを特徴とする請求項１に記載の換気送風機。
【請求項３】
不燃材料製であり、吸気口及び排気口が設けられた本体筐体と、
電動機と該電動機の回転軸に着脱自在に取付けられた羽根とを備え、前記本体筐体の内部に設置され、前記吸気口から前記本体筐体の中に流入して前記排気口から前記本体筐体の外へ流出する気流を形成する送風機と、
一面が開放された箱状であり、前記電動機の制御用のコンデンサを少なくとも一つ収納し、不燃材料製である第１のコンデンサボックス及び第２のコンデンサボックスとを備え、
前記第１のコンデンサボックスは、開放面の周囲に張り出す第１の平面部を備え、前記本体筐体に外付けされており、
前記第２のコンデンサボックスは、前記本体筐体に埋め込まれて設置されており、
前記第１のコンデンサボックスの開放面は、前記本体筐体で塞がれており、かつ前記第２のコンデンサボックスの開放面は、前記第１の平面部で塞がれていることを特徴とする換気送風機。
【請求項４】
前記第２のコンデンサボックスは、開放面の周囲に張り出す第２の平面部と、前記第２の平面部の端部から立ち上がる第２の立面部とを備え、
前記第１のコンデンサボックスの開放面の一部分は、前記第２の平面部によって塞がれており、
前記第２の立面部は、前記第１のコンデンサボックスの内部を二つの空間に仕切る隔壁をなしており、
前記第１のコンデンサボックスは、前記第２の立面部によって仕切られた二つの空間に、前記コンデンサを一つずつ収納していることを特徴とする請求項３に記載の換気送風機。
【請求項５】
前記第１のコンデンサボックス及び前記第２のコンデンサボックスの少なくとも一方は、底面に凸部を備えることを特徴とする請求項１から４のいずれか１項に記載の換気送風機。
【発明の詳細な説明】
【技術分野】
【０００１】
本発明は、室内に通じるダクト及び屋外に通じるダクトを介して室内の空気を入れ換える換気送風機に関する。
【背景技術】
【０００２】
従来、換気送風機に設けられる電動機の制御用のコンデンサは、特許文献１に開示されるように、短絡時の発火による延焼を防止するため、樹脂ケース内に収納しさらに樹脂ケースを金属カバーで保護する方法又は金属製のケース及び金属製のカバーを用いてコンデンサ全周を覆うことで保護する方法が用いられている。
【先行技術文献】
【特許文献】
【０００３】
【特許文献１】特開２０１５−１４４０８号公報
【発明の概要】
【発明が解決しようとする課題】
【０００４】
しかしながら、複数台の電動機を持つ換気送風機、又はコンデンサ分圧により風量調整を行う換気送風機においては、電動機の制御用のコンデンサが複数個設けられる。電動機の制御用の複数個のコンデンサの各々に保護用のケース及びカバーを取り付けることは煩雑であり、部品点数が多くなって生産性の悪化につながる。このため、コンデンサが発火した際の安全性と、高い生産性とを両立させた換気送風機が求められている。【０００５】
本発明は、上記に鑑みてなされたものであって、電動機の制御用のコンデンサが発火した際に延焼を抑制でき、生産性が高い換気送風機を得ることを目的とする。
【課題を解決するための手段】
【０００６】
上述した課題を解決し、目的を達成するために、本発明は、吸気口及び排気口が設けられた本体筐体と、電動機と電動機の回転軸に着脱自在に取付けられた多翼遠心羽根とを備え、本体筐体の内部に設置され、吸気口から本体筐体の中に流入して排気口から本体筐体の外へ流出する気流を形成する遠心送風機と、一面が開放された有底箱状であり、電動機の制御用のコンデンサを少なくとも一つ収納し、不燃材料製である第１のコンデンサボックス及び第２のコンデンサボックスとを備える。第１のコンデンサボックスは、開放面の周囲に張り出す第１の平面部を備え、本体筐体に外付けされている。第２のコンデンサボックスは、開放面の周囲に張り出す第２の平面部を備え、本体筐体に埋め込まれて設置されている。第１のコンデンサボックスの開放面は、第２の平面部で塞がれており、かつ第２のコンデンサボックスの開放面は、第１の平面部で塞がれている。
【発明の効果】
【０００７】
本発明に係る換気送風機は、電動機の制御用のコンデンサが発火した際に延焼を抑制でき、生産性が高いという効果を奏する。
【図面の簡単な説明】
【０００８】
【図１】本発明の実施の形態１に係る換気送風機を電動機側から見た斜視図
【図２】実施の形態１に係る換気送風機の平面図
【図３】実施の形態１に係る換気送風機のコンデンサの収納方法を示す図
【図４】実施の形態１に係る換気送風機のコンデンサの収納方法を示す図
【図５】実施の形態１に係る換気送風機のコンデンサ収納部の部分の斜視図
【図６】実施の形態１に係る換気送風機のコンデンサ収納部の部分の断面図
【図７】実施の形態１に係る換気送風機のコンデンサ収納部の分解斜視図
【図８】実施の形態１の変形例に係る換気送風機のコンデンサ収納部の部分の断面図
【図９】本発明の実施の形態２に係る換気送風機のコンデンサ収納部の断面図
【図１０】本発明の実施の形態３に係る換気送風機のコンデンサ収納部の断面図
【図１１】本発明の実施の形態４に係る換気送風機のコンデンサ収納部の断面図
【発明を実施するための形態】
【０００９】
以下に、本発明の実施の形態に係る換気送風機を図面に基づいて詳細に説明する。なお、この実施の形態によりこの発明が限定されるものではない。
【００１０】
実施の形態１．
図１は、本発明の実施の形態１に係る換気送風機を電動機側から見た斜視図である。図２は、実施の形態１に係る換気送風機の平面図である。図２は、本体筐体２の天面を透過して内部を可視化して示している。実施の形態１に係る換気送風機１は、外装をなすとともに送風機全体を支持する本体筐体２を有している。本体筐体２は、直方体状であり、長手方向に対向する二つの側面の一方には吸気口３が設けられており、他方には排気口４が設けられている。吸気口３には、ダクト接続口５ａが設けられており、排気口４にはダクト接続口５ｂが設けられている。ダクト接続口５ａにはダクト６ａが接続される。ダクト接続口５ｂにはダクト６ｂが接続される。
【００１１】
また、本体筐体２の側面には、天吊り金具７が４個設けられている。天吊り金具７を不図示のアンカーボルトに固定することで、換気送風機１は建物の天井裏といった空間に設置され、ダクト６ａを介して室内の空気を吸込み、ダクト６ｂを介して屋外へ排気して換気を行う。すなわち、換気送風機１は、室内側の空気と、屋外側の空気との間に空気の流れを形成し、室内に通じるダクト６ａ及び屋外に通じるダクト６ｂを介して室内の空気を入れ換える。
【００１２】
本体筐体２の内部には、遠心送風機２０が設置されている。遠心送風機２０は、電動機取付脚２１によって本体筐体２内に取り付けられる電動機２２と、電動機２２の回転軸に着脱自在に取付けられた両吸込型の多翼遠心羽根２３からなり、換気送風機１が固定された状態において、室内側の空気と、屋外側の空気とを換気する。すなわち、遠心送風機２０は、本体筐体２の内部に設置されて、吸気口３から本体筐体２の中に流入して排気口４から本体筐２の外へ流出する気流を形成する。
【００１３】
遠心送風機２０は、電動機２２の回転軸が水平又は鉛直になるように、本体筐体２の長手方向の中央よりも排気口４に近い位置に組み込まれている。
【００１４】
図２に示すように、多翼遠心羽根２３は、電動機２２とは逆側に位置し、吸込口３０ａを有するオリフィス２４と、電動機２２側に位置し、吸込口３０ｂを有するオリフィス２５とで囲まれている。オリフィス２４，２５は、吐出口３１を備えたスクロールケーシングを形成している。電動機２２は、吸込口３０ｂの内側に位置しており、吸込口３０ａと吸込口３０ｂとは、電動機２２の回転軸の方向に対向している。また、スクロールケーシングは、室内側の空気を多翼遠心羽根２３に導く。
【００１５】
換気送風機１の運転時には、両吸込型の多翼遠心羽根２３の回転によりダクト６ａを通じて吸気口３から換気送風機１内に取り込まれた空気は、電動機２２側と電動機２２の逆側とに一旦分かれる。分かれた空気は、本体筐体２内に形成された風路４０ａ，４０ｂを通り、吸込口３０ａ，３０ｂから遠心送風機２０内に入り、合流する。合流した空気は、吐出口３１から吐き出され、排気口４を通じてダクト６ｂから屋外へ排出される。換気送風機１は、吸気から排気への経路が直線的にレイアウトされている。
【００１６】
図３及び図４は、実施の形態１に係る換気送風機のコンデンサの収納方法を示す図である。図５は、実施の形態１に係る換気送風機のコンデンサ収納部の部分の斜視図である。図６は、実施の形態１に係る換気送風機のコンデンサ収納部の部分の断面図である。図７は、実施の形態１に係る換気送風機のコンデンサ収納部の分解斜視図である。第２のコンデンサボックス６１は、電動機２２の制御用のコンデンサ６３ａを収納するために天面が開放された有底箱状を成しており、開放面の周囲に張り出す第２の平面部である平面部６４ａを備えている。第１のコンデンサボックス６２は、電動機２２の制御用のコンデンサ６３ｂを収納するために天面が開放された有底箱状を成しており、開放面の周囲に張り出す第１の平面部である平面部６４ｂを備えている。
【００１７】
第１のコンデンサボックス６２及び第２のコンデンサボックス６１は、不燃材料製である。不燃材料の例には金属及びセラミックを挙げることができる。第２のコンデンサボックス６１は、本体筐体２の側面に埋め込まれて設置される。第１のコンデンサボックス６２は、本体筐体２の側面に外付けされる。本体筐体２に組みつけられる際、第１のコンデンサボックス６２及び第２のコンデンサボックス６１は、コンデンサ短絡時の延焼を防止するために、開放面を覆うように平面部６４ａ，６４ｂを互いに嵌着させて、コンデンサ収納部６０をなしている。すなわち、コンデンサ収納部６０は、第２のコンデンサボックス６１の開放面が第１のコンデンサボックス６２の平面部６４ｂで塞がれており、かつ第１のコンデンサボックス６２の開放面が第２のコンデンサボックス６１の平面部６４ａで塞がれている。
【００１８】
実施の形態１に係る換気送風機１は、コンデンサ６３ａ，６３ｂの周囲を覆う不燃材料製のケース又はカバーを別途組み付ける必要がない。したがって、電動機２２の制御用のコンデンサが発火した際に延焼を抑制できる構造でありながら生産性が高い。また、実施の形態１に係る換気送風機１は、部品点数の削減によって組立作業が簡素化され、作業効率が向上するとともに、コストダウンを実現できる。
【００１９】
図８は、実施の形態１の変形例に係る換気送風機のコンデンサ収納部の部分の断面図である。電動機２２の制御用のコンデンサ６３ｂを収納する第１のコンデンサボックス６２は、一面が開放された有底箱状であり、開放面の周囲に張り出す第１の平面部である平面部６４ｂを備えている。電動機２２の制御用のコンデンサ６３ａを収納する第２のコンデンサボックス６１は、一面が開放された有底箱状である。第２のコンデンサボックス６１は、不燃材料製であり、本体筐体２に埋め込まれて設置される。第１のコンデンサボックス６２は、不燃材料製であり、本体筐体２に外付けされる。
【００２０】
第１のコンデンサボックス６２の開放面は、本体筐体２で塞がれており、かつ第２のコンデンサボックス６１の開放面は、平面部６４ｂで塞がれている。本体筐体２が不燃材料製カバーの一部をなして第１のコンデンサボックス６２の開放面を塞ぐため、本体筐体２内に埋め込まれて設置される第２のコンデンサボックス６１に平面部６４ａを設ける必要がない。したがって不燃材料に板金材料を適用する場合には、板金材料のブランク面積の削減及び金型の簡素化によるコストダウンを実現できる。
【００２１】
上記の説明では、コンデンサ収納部６０を換気送風機１の本体筐体２の側面に設けた構成について説明したが、コンデンサ収納部６０を設ける位置は、本体筐体２の側面に限定されることはなく、本体筐体２の天面上にコンデンサ収納部６０を設けても同様の効果が得られる。なお、コンデンサ収納部６０を本体筐体２の側面に設けた場合は、本体筐体２の天面にコンデンサ収納部６０を設ける場合よりもメンテナンス作業が容易となる。
【００２２】
実施の形態２．
図９は、本発明の実施の形態２に係る換気送風機のコンデンサ収納部の断面図である。実施の形態２において、本体筐体２は不燃材料製である。図９に示すように、本体筐体２に埋め込まれて設置される第２のコンデンサボックス６１には、平面部６４ａの先端から垂直に立ち上がる第２の立面部である立面部６５ａが設けられている。立面部６５ａは、本体筐体２に第１のコンデンサボックス６２が取り付けられた際に、第１のコンデンサボックス６２の内部に挿入され、第１のコンデンサボックス６２の内部空間を二つに仕切る隔壁となす。したがって、第１のコンデンサボックス６２内に、二つのコンデンサ６３ｃ，６３ｄを収納する場合に、コンデンサ６３ｃとコンデンサ６３ｄとの間は、立面部６５ａがなす隔壁によって隔てられる。コンデンサ６３ｄと本体筐体２との間には平面部６４ａは存在しないが、コンデンサ６３ｄは、不燃材料製の第１のコンデンサボックス６２と不燃材料製の本体筐体２によって全周が囲まれるため、コンデンサ６３ｃ，６３ｄからの出火時に、延焼は防止される。
【００２３】
実施の形態２に係る換気送風機は、第１のコンデンサボックス６２及び第２のコンデンサボックス６１の他に部品を用いなくてもコンデンサの短絡時の延焼に対する安全性を確保でき、部品点数の削減及び組立性の改善によるコストダウンが可能である。
【００２４】
実施の形態３．
図１０は、本発明の実施の形態３に係る換気送風機のコンデンサ収納部の断面図である。図１０に示すように、本体筐体２に取り付けられる第１のコンデンサボックス６２には、平面部６４ｂの先端から垂直に立ち上がる第１の立面部である立面部６５ｂが設けられている。立面部６５ｂは、本体筐体２に第１のコンデンサボックス６２を取り付けた際に、第２のコンデンサボックス６１の内部に挿入され、第２のコンデンサボックス６１の内部空間を二つに仕切る隔壁をなす。したがって、第２のコンデンサボックス６１内に、二つのコンデンサ６３ｅ，６３ｆを収納する場合に、コンデンサ６３ｅとコンデンサ６３ｆとの間は、立面部６５ｂがなす隔壁によって隔てられる。よって、第１のコンデンサボックス６２及び第２のコンデンサボックス６１の他に部品を用いなくてもコンデンサの短絡時の延焼に対する安全性を確保でき、部品点数の削減及び組立性の改善によるコストダウンが可能となる。
【００２５】
実施の形態４．
図１１は、本発明の実施の形態４に係る換気送風機のコンデンサ収納部の断面図である。図１１に示すように、本体筐体２に埋め込まれて設置される第２のコンデンサボックス６１は、底面に凸部６６が設けられており、第２のコンデンサボックス６１は、コンデンサの収納スペースを二つ備えている。第２のコンデンサボックス６１の収納スペースの一方には、コンデンサ６３ｅが収納されており、他方にはコンデンサ６３ｆが収納されている。第２のコンデンサボックス６１の底面に凸部６６を設けることにより、第２のコンデンサボックス６１内でコンデンサ６３ｅ，６３ｆの位置がずれることは防止される。
【００２６】
第２のコンデンサボックス６１の開口は、第１のコンデンサボックス６２の平面部６４ｂで塞がれているため、コンデンサ６３ｅ，６３ｆは、全周が覆われている。したがって、コンデンサ６３ｅ，６３ｆの一方から出火した場合でも、第２のコンデンサボックス６１内で延焼が食い止められるため、第１のコンデンサボックス６２及び第２のコンデンサボックス６１の他に部品を用いなくてもコンデンサの短絡時の延焼に対する安全性を確保でき、部品点数の削減及び組立性の改善によるコストダウンが可能である。
【００２７】
ここでは、換気送風機１内に埋め込まれて設置される第２のコンデンサボックス６１の底面に凸部６６を一つ設け、コンデンサ６３ｅ，６３ｆを収納した構成について説明したが、本体筐体２に外付けされる第１のコンデンサボックス６２の底面に凸部を設けても同様の効果が得られることは言うまでもない。また、凸部の数量は限定されるものではなく、凸部の数量が増えてもコンデンサの位置ずれを防止する効果が同様に得られることは言うまでもない。
【００２８】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００２９】
１  換気送風機、２  本体筐体、３  吸気口、４  排気口、５ａ，５ｂ  ダクト接続口、６ａ，６ｂ  ダクト、７  天吊り金具、２０  遠心送風機、２１  電動機取付脚、２２  電動機、２３  多翼遠心羽根、２４，２５  オリフィス、３０ａ，３０ｂ  吸込口、３１  吐出口、４０ａ，４０ｂ  風路、６０  コンデンサ収納部、６１  第２のコンデンサボックス、６２  第１のコンデンサボックス、６３ａ，６３ｂ，６３ｃ，６３ｄ，６３ｅ，６３ｆ  コンデンサ、６４ａ，６４ｂ  平面部、６５ａ，６５ｂ  立面部、６６  凸部。
【図１】
0006676179.tif 000002
【図２】
0006676179.tif 000003
【図３】
0006676179.tif 000004
【図４】
0006676179.tif 000005
【図５】
0006676179.tif 000006
【図６】
0006676179.tif 000007
【図７】
0006676179.tif 000008
【図８】
0006676179.tif 000009
【図９】
0006676179.tif 000010
【図１０】
0006676179.tif 000011
【図１１】
0006676179.tif 000012